(57)【要約】【課題】開閉と回動が自在な折り畳み携帯電話装置において、装置の小型化やコストダウンを可能とし、外部の磁気記録媒体に悪影響を及ぼさない。【解決手段】下側ユニット２の表面上方には、左右に２個の受発光素子２３ａ，２３ｂを配置する。上側ユニット１の表面、裏面の左右には、受発光素子の反射部１３ａ，１３ｂ，１３ｃ，１３ｄを配置する。ここで、表示部１１を外側にして閉じたのか否かを検出するため、裏面の反射部１３ｃ，１３ｄの一方の反射効率を他方の半分に設定する。開閉・回動状態検出部２７は、受発光素子２３ａ，２３ｂの出力（Ａ，Ｂと記す）を受け、Ａ，Ｂが共に出力無しなら開状態、Ａ，Ｂのいずれかが出力有りならそれに応じた左右いずれかの９０度回動状態、Ａ，Ｂが共に出力有りの場合、Ａ，Ｂの差分出力が０なら閉状態、差分出力有りなら表示部を外側にした閉状態として検出する。【選択図】  図１
2006270361.tif 000002
【特許請求の範囲】
【請求項１】
表示部を有する上側ユニットが操作部を有する下側ユニットに対して、開いた状態、所定の向きに回動した状態、および閉じた状態となる折り畳み携帯端末装置において、前記上側ユニットと下側ユニットの一方に複数の反射型のフォトセンサを配置し、他方のユニットに前記反射型のフォトセンサに対する複数の反射部を配置し、前記複数の反射型のフォトセンサからの出力の組み合わせにより前記各状態を検出する開閉・回動状態検出部を備えることを特徴とする折り畳み携帯端末装置。
【請求項２】
前記各状態が、上側ユニットが下側ユニットに対して、開いた状態、時計方向に斜めまたは横に回動した状態、反時計方向に斜めまたは横に回動した状態、表示部を内側にして閉じた状態、および表示部を外側にして閉じた状態の各状態であり、前記反射型のフォトセンサが、前記下側ユニットに配置した２個の反射型のフォトセンサからなり、前記反射部が、前記上側ユニットの表裏に配置した４個の反射部からなり、前記開閉・回動状態検出部が、前記２個の反射型のフォトセンサからの出力の組み合わせにより前記各状態を検出するものであることを特徴とする請求項１記載の折り畳み携帯端末装置。
【請求項３】
前記反射型のフォトセンサが、下側ユニットの操作部側の上方の左右に配置した第１のフォトセンサと第２のフォトセンサからなり、前記反射部が、前記上側ユニットの表示部側の下方の左右に配置した２個の反射部とこれらの反射部の位置の裏面側に配置した２個の反射部であって１個の反射部の反射効率を他の３個の反射部より低くした反射部からなり、前記開閉・回動状態検出部が、前記第１のフォトセンサの出力をＡ、第２のフォトセンサの出力をＢとして、前記上側ユニットと下側ユニットについて、Ａ，Ｂが共に無しの場合には開いた状態とし、ＡまたはＢの一方が有りの場合には時計方向に斜めまたは横にあるいは反時計方向に斜めまたは横に回動した状態かを区別し、Ａ，Ｂが共に有りの場合にはＡとＢの差分を求め、前記差分が０の場合と或る値である場合とで表示部を内側にして閉じた状態と表示部を外側にして閉じた状態とを区別して、前記各状態を検出するものであることを特徴とする請求項２記載の折り畳み携帯端末装置。
【請求項４】
前記各状態が、上側ユニットが下側ユニットに対して、開いた状態、時計方向に斜めまたは横に回動した状態、反時計方向に斜めまたは横に回動した状態、表示部を内側にして閉じた状態、および表示部を外側にして閉じた状態の各状態であり、前記反射型のフォトセンサが、前記上側ユニットに配置した３個の反射型のフォトセンサからなり、前記反射部が、前記下側ユニットに配置した２個の反射部からなり、前記開閉・回動状態検出部が、前記３個の反射型のフォトセンサからの出力の組み合わせにより前記各状態を検出するものであることを特徴とする請求項１記載の折り畳み携帯端末装置。
【請求項５】
前記反射型のフォトセンサが、上側ユニットの裏面の下方の左右に配置した第１のフォトセンサと第２のフォトセンサおよびこれらのフォトセンサの一方の位置の表示部側に配置した第３のフォトセンサからなり、前記反射部が、下側ユニットの操作部側の上方の左右に配置した２個の反射部からなり、前記開閉・回動状態検出部が、前記第１のフォトセンサの出力をＡ、第２のフォトセンサの出力をＢ、第３のフォトセンサの出力をＣとして、前記上側ユニットと下側ユニットについて、Ａ，Ｂ，Ｃが共に無しの場合には開いた状態とし、ＡまたはＢの一方が有りでＣが無しの場合には時計方向に斜めまたは横にあるいは反時計方向に斜めまたは横に回動した状態かを区別し、Ａ，Ｂが共に無しでＣが有りの場合には表示部を内側にして閉じた状態とし、Ａ，Ｂが共に有りでＣが無しの場合には表示部を外側にして閉じた状態として、前記各状態を検出するものであることを特徴とする請求項４記載の折り畳み携帯端末装置。
【請求項６】
前記反射部が、ユニット面への印刷または塗装またはユニットの素材面の加工により形成したものであることを特徴とする請求項１乃至５のいずれか１に記載の折り畳み携帯端末装置。
【請求項７】
表示部を有する上側ユニットが操作部を有する下側ユニットに対して、開いた状態、所定の向きに回動した状態、および閉じた状態となる折り畳み携帯端末装置における開閉・回動状態検出方法であって、前記上側ユニットと下側ユニットの一方に配置した複数の反射型のフォトセンサからの出力であって他方のユニットに配置した反射部の有無による出力を検出する段階と、前記反射型のフォトセンサからの出力の組み合わせにより前記各状態の開閉・回動状態を検出する段階とを、備えることを特徴とする折り畳み携帯端末装置の開閉・回動状態検出方法。
【請求項８】
前記各状態が、上側ユニットが下側ユニットに対して、開いた状態、時計方向に斜めまたは横に回動した状態、反時計方向に斜めまたは横に回動した状態、表示部を内側にして閉じた状態、および表示部を外側にして閉じた状態の各状態であり、前記反射型のフォトセンサが、前記下側ユニットに配置した２個の反射型のフォトセンサからなり、前記反射部が、前記上側ユニットの表裏に配置した４個の反射部からなる場合、前記開閉・回動状態を検出する段階では、前記２個の反射型のフォトセンサからの出力の組み合わせにより前記各状態を検出することを特徴とする請求項７記載の折り畳み携帯端末装置の開閉・回動状態検出方法。
【請求項９】
前記反射型のフォトセンサが、下側ユニットの操作部側の上方の左右に配置した第１のフォトセンサと第２のフォトセンサからなり、前記反射部が、前記上側ユニットの表示部側の下方の左右に配置した２個の反射部とこれらの反射部の位置の裏面側に配置した２個の反射部であって１個の反射部の反射効率を他の３個の反射部より低くした反射部からなる場合、前記開閉・回動状態を検出する段階では、前記第１のフォトセンサの出力をＡ、第２のフォトセンサの出力をＢとして、前記上側ユニットと下側ユニットについて、Ａ，Ｂが共に無しの場合には開いた状態とし、ＡまたはＢの一方が有りの場合には時計方向に斜めまたは横にあるいは反時計方向に斜めまたは横に回動した状態かを区別し、Ａ，Ｂが共に有りの場合にはＡとＢの差分を求め、前記差分が０の場合と或る値である場合とで表示部を内側にして閉じた状態と表示部を外側にして閉じた状態とを区別して、前記各状態を検出することを特徴とする請求項８記載の折り畳み携帯端末装置の開閉・回動状態検出方法。
【請求項１０】
前記各状態が、上側ユニットが下側ユニットに対して、開いた状態、時計方向に斜めまたは横に回動した状態、反時計方向に斜めまたは横に回動した状態、表示部を内側にして閉じた状態、および表示部を外側にして閉じた状態の各状態であり、前記反射型のフォトセンサが、前記上側ユニットに配置した３個の反射型のフォトセンサからなり、前記反射部が、前記下側ユニットに配置した２個の反射部からなる場合、前記開閉・回動状態を検出する段階では、前記３個の反射型のフォトセンサからの出力の組み合わせにより前記各状態を検出することを特徴とする請求項７記載の折り畳み携帯端末装置の開閉・回動状態検出方法。
【請求項１１】
前記反射型のフォトセンサが、上側ユニットの裏面の下方の左右に配置した第１のフォトセンサと第２のフォトセンサおよびこれらのフォトセンサの一方の位置の表示部側に配置した第３のフォトセンサからなり、前記反射部が、下側ユニットの操作部側の上方の左右に配置した２個の反射部からなる場合、前記開閉・回動状態を検出する段階では、前記第１のフォトセンサの出力をＡ、第２のフォトセンサの出力をＢ、第３のフォトセンサの出力をＣとして、前記上側ユニットと下側ユニットについて、Ａ，Ｂ，Ｃが共に無しの場合には開いた状態とし、ＡまたはＢの一方が有りでＣが無しの場合には時計方向に斜めまたは横にあるいは反時計方向に斜めまたは横に回動した状態かを区別し、Ａ，Ｂが共に無しでＣが有りの場合には表示部を内側にして閉じた状態とし、Ａ，Ｂが共に有りでＣが無しの場合には表示部を外側にして閉じた状態として、前記各状態を検出することを特徴とする請求項１０記載の折り畳み携帯端末装置の開閉・回動状態検出方法。
【発明の詳細な説明】
【技術分野】
【０００１】
この発明は、開閉することができ、開状態では表示部を自在に回動することができる折り畳み携帯電話装置等の折り畳み携帯端末装置とその開閉・回動状態検出方法に係り、詳しくは、フォトセンサを用いることにより、クレジットカード等の磁気記憶媒体等に影響を与えることなく、装置の小型化とコストダウンを可能にした折り畳み携帯端末装置とその開閉・回動状態検出方法に関する。
【背景技術】
【０００２】
従来の折り畳み携帯電話装置としては、特許文献２に開示されたものが広く知られている。この折り畳み携帯電話装置の機械的構成を図８に示す。この折り畳み携帯電話装置は、上側ユニット１００と下側ユニット２００とが、ヒンジ機構３００によって接続されており、ヒンジ機構３００により開閉と回動が自在に出来るように構成されている。下側ユニット２００の下方には、開閉を検出するための磁石２０３が、上側ユニット１００の上方には、その磁気を検出する磁気センサ（ホール素子）１０３が設けられている。また、上側ユニット１００下方中央には、回動状態を検出するための磁石１０４が設けられているとともに、下側ユニット２００の上方には、その磁気を検出するための３個の磁気センサ（ホール素子）２０４ａ〜２０４ｃが、磁石１０４の動きに沿って円弧状に設けられている。
【０００３】
携帯電話装置を閉じた状態では、磁気センサ１０３からの出力があり、開いた状態ではその出力がなくなる。この磁気センサ１０３からの出力の有無により、携帯電話装置の閉状態または開状態を検出していた。また、回動状態については、上側ユニット１００が中央から時計方向に９０度回転した場合、磁石１０４も回転し、磁気センサ２０４ａの上に行き、磁気センサ２０４ａからの出力が得られる。逆に、中央から反時計方向に９０度回転した場合、磁石１０４は磁気センサ２０４ｂの上に行き、磁気センサ２０４ｂからの出力が得られる。上側ユニット１００が中央に位置する場合には、磁石１０４は磁気センサ２０４ｃの上に位置し、磁気センサ２０４ｃからの出力が得られる。従来は、このようにして各磁気センサ２０４ａ〜２０４ｃの出力を検出することにより、回動状態を検出していた。
【０００４】
なお、特許文献１には、携帯情報端末機の開閉状態を発光部と受光部を用いて検出する構成が開示されている。この構成では、上部側に反射部材を配置し、対向する下部側に発光部と受光部を配置する。上部側と下部側を閉じた場合、下部側に配置した発光部からの光が上部側に配置した反射部材により反射されて受光部に達し、受光部からの出力が得られる。この受光部からの出力の有無により、携帯情報端末機の閉状態または開状態を検出している。
【特許文献１】特開２００１−０２２４７２号公報
【特許文献２】特開２００３−１７４４９５号公報
【発明の開示】
【発明が解決しようとする課題】
【０００５】
しかしながら、上記従来の技術には、以下のような問題点があった。特許文献２の携帯電話装置では、装置内に磁石と磁気センサを配置して開閉と回動状態を検出しているが、装置内には磁石以外にも磁気を帯びた電気部品があるため、磁気センサが誤作動する恐れがあり、磁石や磁気センサあるいは磁気を帯びた電気部品の配置が制約されるという問題があった。また、携帯電話装置に磁石が配置されているため、クレジットカード等の磁気記録媒体を近づけると、磁石の悪影響を受け、クレジットカード等の磁気記録媒体のデータを喪失してしまう恐れがあるという問題があった。
【０００６】
そこで、特許文献２のように、磁気センサに代えて、反射型の受発光素子をセンサとして用いることが考えられる。特許文献１における開閉の検出センサとしては、単純な置き換えが可能である。しかし、回動状態の検出センサとしての単純な置き換えは困難である。なぜなら、下側ユニット上部に円弧状に配列された３個のセンサのいずれもが、上部ユニットの回動位置にかかわらず、常に、上側ユニットの下縁で検出光が反射され、上側ユニットの回動位置が中央なのか、左右に９０度回動した状態なのか、表示部を外側にして折り畳まれた状態なのか、区別がつかないためである。
【０００７】
また、特許文献２の携帯電話装置は、開閉検出のための１個の磁石と１個のホール素子、回動状態を検出するため１個の磁石と３個のホール素子が設けられており、合計で６個の素子が用いられている。このうち、開閉検出の磁石とホール素子を特許文献１の受発光素子に変えたとしても、必要な素子が１個減るだけであり（反射部材は、素子とは見做さない）、合計では５個必要である。このように、開閉検出と回動状態の検出を個別に行い、検出に必要な素子を多く用いることは、装置の小型化の妨げやコストアップの要因となっていた。
【０００８】
この発明は、上述の事情に鑑みてなされたものであって、開閉と回動が自在な折り畳み携帯端末装置において、磁石を用いず、受発光素子により開閉検出及び回動状態の検出を行い、誤作動せず、装置の小型化やコストダウンを可能とし、外部の磁気記録媒体に悪影響を及ぼさない折り畳み携帯端末装置とその開閉・回動状態検出方法を提供することを目的とする。
【課題を解決するための手段】
【０００９】
上述の課題を解決するため、請求項１記載の発明は、折り畳み携帯端末装置に係り、表示部を有する上側ユニットが操作部を有する下側ユニットに対して、開いた状態、所定の向きに回動した状態、および閉じた状態となる折り畳み携帯端末装置において、前記上側ユニットと下側ユニットの一方に複数の反射型のフォトセンサを配置し、他方のユニットに前記反射型のフォトセンサに対する複数の反射部を配置し、前記複数の反射型のフォトセンサからの出力の組み合わせにより前記各状態を検出する開閉・回動状態検出部を備えることを特徴としている。
【００１０】
請求項２記載の発明は、請求項１記載の折り畳み携帯端末装置に係り、前記各状態が、上側ユニットが下側ユニットに対して、開いた状態、時計方向に斜めまたは横に回動した状態、反時計方向に斜めまたは横に回動した状態、表示部を内側にして閉じた状態、および表示部を外側にして閉じた状態の各状態であり、前記反射型のフォトセンサが、前記下側ユニットに配置した２個の反射型のフォトセンサからなり、前記反射部が、前記上側ユニットの表裏に配置した４個の反射部からなり、前記開閉・回動状態検出部が、前記２個の反射型のフォトセンサからの出力の組み合わせにより前記各状態を検出するものであることを特徴としている。
【００１１】
請求項３記載の発明は、請求項２記載の折り畳み携帯端末装置に係り、前記反射型のフォトセンサが、下側ユニットの操作部側の上方の左右に配置した第１のフォトセンサと第２のフォトセンサからなり、前記反射部が、前記上側ユニットの表示部側の下方の左右に配置した２個の反射部とこれらの反射部の位置の裏面側に配置した２個の反射部であって１個の反射部の反射効率を他の３個の反射部より低くした反射部からなり、前記開閉・回動状態検出部が、前記第１のフォトセンサの出力をＡ、第２のフォトセンサの出力をＢとして、前記上側ユニットと下側ユニットについて、Ａ，Ｂが共に無しの場合には開いた状態とし、ＡまたはＢの一方が有りの場合には時計方向に斜めまたは横にあるいは反時計方向に斜めまたは横に回動した状態かを区別し、Ａ，Ｂが共に有りの場合にはＡとＢの差分を求め、前記差分が０の場合と或る値である場合とで表示部を内側にして閉じた状態と表示部を外側にして閉じた状態とを区別して、前記各状態を検出するものであることを特徴としている。
【００１２】
請求項４記載の発明は、請求項１記載の折り畳み携帯端末装置に係り、前記各状態が、上側ユニットが下側ユニットに対して、開いた状態、時計方向に斜めまたは横に回動した状態、反時計方向に斜めまたは横に回動した状態、表示部を内側にして閉じた状態、および表示部を外側にして閉じた状態の各状態であり、前記反射型のフォトセンサが、前記上側ユニットに配置した３個の反射型のフォトセンサからなり、前記反射部が、前記下側ユニットに配置した２個の反射部からなり、前記開閉・回動状態検出部が、前記３個の反射型のフォトセンサからの出力の組み合わせにより前記各状態を検出するものであることを特徴としている。
【００１３】
請求項５記載の発明は、請求項４記載の折り畳み携帯端末装置に係り、前記反射型のフォトセンサが、上側ユニットの裏面の下方の左右に配置した第１のフォトセンサと第２のフォトセンサおよびこれらのフォトセンサの一方の位置の表示部側に配置した第３のフォトセンサからなり、前記反射部が、下側ユニットの操作部側の上方の左右に配置した２個の反射部からなり、前記開閉・回動状態検出部が、前記第１のフォトセンサの出力をＡ、第２のフォトセンサの出力をＢ、第３のフォトセンサの出力をＣとして、前記上側ユニットと下側ユニットについて、Ａ，Ｂ，Ｃが共に無しの場合には開いた状態とし、ＡまたはＢの一方が有りでＣが無しの場合には時計方向に斜めまたは横にあるいは反時計方向に斜めまたは横に回動した状態かを区別し、Ａ，Ｂが共に無しでＣが有りの場合には表示部を内側にして閉じた状態とし、Ａ，Ｂが共に有りでＣが無しの場合には表示部を外側にして閉じた状態として、前記各状態を検出するものであることを特徴としている。
【００１４】
請求項６記載の発明は、請求項１乃至５のいずれか１に記載の折り畳み携帯端末装置に係り、前記反射部が、ユニット面への印刷または塗装またはユニットの素材面の加工により形成したものであることを特徴としている。
【００１５】
請求項７記載の発明は、折り畳み携帯端末装置の開閉・回動状態検出方法に係り、表示部を有する上側ユニットが操作部を有する下側ユニットに対して、開いた状態、所定の向きに回動した状態、および閉じた状態となる折り畳み携帯端末装置における開閉・回動状態検出方法であって、前記上側ユニットと下側ユニットの一方に配置した複数の反射型のフォトセンサからの出力であって他方のユニットに配置した反射部の有無による出力を検出する段階と、前記反射型のフォトセンサからの出力の組み合わせにより前記各状態の開閉・回動状態を検出する段階とを、備えることを特徴としている。
【００１６】
請求項８記載の発明は、請求項７記載の折り畳み携帯端末装置の開閉・回動状態検出方法に係り、前記各状態が、上側ユニットが下側ユニットに対して、開いた状態、時計方向に斜めまたは横に回動した状態、反時計方向に斜めまたは横に回動した状態、表示部を内側にして閉じた状態、および表示部を外側にして閉じた状態の各状態であり、前記反射型のフォトセンサが、前記下側ユニットに配置した２個の反射型のフォトセンサからなり、前記反射部が、前記上側ユニットの表裏に配置した４個の反射部からなる場合、前記開閉・回動状態を検出する段階では、前記２個の反射型のフォトセンサからの出力の組み合わせにより前記各状態を検出することを特徴としている。
【００１７】
請求項９記載の発明は、請求項８記載の折り畳み携帯端末装置の開閉・回動状態検出方法に係り、前記反射型のフォトセンサが、下側ユニットの操作部側の上方の左右に配置した第１のフォトセンサと第２のフォトセンサからなり、前記反射部が、前記上側ユニットの表示部側の下方の左右に配置した２個の反射部とこれらの反射部の位置の裏面側に配置した２個の反射部であって１個の反射部の反射効率を他の３個の反射部より低くした反射部からなる場合、前記開閉・回動状態を検出する段階では、前記第１のフォトセンサの出力をＡ、第２のフォトセンサの出力をＢとして、前記上側ユニットと下側ユニットについて、Ａ，Ｂが共に無しの場合には開いた状態とし、ＡまたはＢの一方が有りの場合には時計方向に斜めまたは横にあるいは反時計方向に斜めまたは横に回動した状態かを区別し、Ａ，Ｂが共に有りの場合にはＡとＢの差分を求め、前記差分が０の場合と或る値である場合とで表示部を内側にして閉じた状態と表示部を外側にして閉じた状態とを区別して、前記各状態を検出することを特徴としている。
【００１８】
請求項１０記載の発明は、請求項７記載の折り畳み携帯端末装置の開閉・回動状態検出方法に係り、前記各状態が、上側ユニットが下側ユニットに対して、開いた状態、時計方向に斜めまたは横に回動した状態、反時計方向に斜めまたは横に回動した状態、表示部を内側にして閉じた状態、および表示部を外側にして閉じた状態の各状態であり、前記反射型のフォトセンサが、前記上側ユニットに配置した３個の反射型のフォトセンサからなり、前記反射部が、前記下側ユニットに配置した２個の反射部からなる場合、前記開閉・回動状態を検出する段階では、前記３個の反射型のフォトセンサからの出力の組み合わせにより前記各状態を検出することを特徴としている。
【００１９】
請求項１１記載の発明は、請求項１０記載の折り畳み携帯端末装置の開閉・回動状態検出方法に係り、前記反射型のフォトセンサが、上側ユニットの裏面の下方の左右に配置した第１のフォトセンサと第２のフォトセンサおよびこれらのフォトセンサの一方の位置の表示部側に配置した第３のフォトセンサからなり、前記反射部が、下側ユニットの操作部側の上方の左右に配置した２個の反射部からなる場合、前記開閉・回動状態を検出する段階では、前記第１のフォトセンサの出力をＡ、第２のフォトセンサの出力をＢ、第３のフォトセンサの出力をＣとして、前記上側ユニットと下側ユニットについて、Ａ，Ｂ，Ｃが共に無しの場合には開いた状態とし、ＡまたはＢの一方が有りでＣが無しの場合には時計方向に斜めまたは横にあるいは反時計方向に斜めまたは横に回動した状態かを区別し、Ａ，Ｂが共に無しでＣが有りの場合には表示部を内側にして閉じた状態とし、Ａ，Ｂが共に有りでＣが無しの場合には表示部を外側にして閉じた状態として、前記各状態を検出することを特徴としている。
【発明の効果】
【００２０】
以上説明したように、この発明の構成によれば、以下に記載するような効果を奏する。第１の効果は、磁気による検出ではないため、磁気を帯びた電気部品による誤作動・誤検出の恐れがないとともに、外部の磁気記録媒体に悪影響を及ぼさないことである。第２の効果は、部品点数の削減、組立工数の削減が出来、コストダウンが出来ることである。第３の効果は、実装効率が上がり装置の小型化が出来ることである。
【発明を実施するための最良の形態】
【００２１】
この発明は、誤作動せず、装置の小型化やコストダウンを可能とし、外部の磁気記録媒体に悪影響を及ぼさない折り畳み携帯端末装置とその開閉・回動状態検出方法を提供するという目的を、開閉と回動とが自在な折り畳み携帯電話装置において、外部の磁気記録媒体へ悪影響を与えるような磁石や、外観を損なうような突起を設けることなく、受発光素子を用いた検出手段の出力の組み合わせによって、開閉検出と回動状態の検出を行うことで実現した。
以下、図面を参照して、この発明の実施の形態について説明する。説明は、実施例を用いて具体的に行う。
【実施例１】
【００２２】
まず、この発明の第１実施例として、携帯電話装置に適用した例について説明する。図１〜図５は、この実施例である折り畳み携帯電話装置の機械的構成（外観）を示す図であって、この実施例の受発光素子と反射部の配置例を示す図である。図１は、上側ユニット１を下側ユニット２に対して開いた状態を示す平面図、図２は、逆にそれらを閉じた状態を示す平面図、図３は、上側ユニット１を下側ユニット２に対して開いた状態で、かつ上側ユニット１を中央から時計方向（ｃｗ）に９０度回転させた状態を示す平面図、図４は、図３とは逆に上側ユニット１を中央から反時計方向（ｃｃｗ）に９０度回転させた状態を示す平面図、図５は上側ユニット１の表示部１１を外側にして折り畳んだ状態を示す平面図である。
【００２３】
図１〜図５において、上側ユニット１と下側ユニット２は、ヒンジ機構３により接続されており、ヒンジ機構３により開閉と回動が自在に出来るように構成されている。ヒンジ機構３としては、特許文献２に記載されたものなどが利用可能である。この実施例では、携帯電話装置の開閉及び回動状態を検出するための手段として、反射部１３ａ〜１３ｄと反射型の受発光素子（以下、場合によりフォトセンサと呼ぶ）２３ａ，２３ｂを用いる。なお、フォトセンサは、フォトインタラプタ、フォトリフレクタ等と呼ばれているものなどを指す。フォトセンサとしては、外乱光の影響を避けるため、可視光外の赤外光や紫外光、２波長の光、あるいは変調光等を用いたものが望ましい。構造としては、光ファイバを用いて導光する構造であってもよい。なお、上側ユニット１の表示部１１側の上方にはスピーカ１２が、下側ユニット２の操作部２１側の下方にはマイク２２が、それぞれ配置されている。
【００２４】
図１に示すように、下側ユニット２上方の表面（操作部２１側）の内部には、左右に２個の受発光素子２３ａ，２３ｂを配置する。一方、図２、図５に示すように、上側ユニット１下方の表面（表示部１１側）、裏面の左右それぞれには、受発光素子２３ａ，２３ｂからの光を反射するための手段として、反射部１３ａ，１３ｂ（表面側）と反射部１３ｃ，１３ｄ（裏面側）とを配置する。受発光素子２３ａ，２３ｂの一部もしくは全部は、折り畳んだ場合および回動させた場合に、反射部１３ａ，１３ｂ，１３ｃ，１３ｄに重なるように配置される。ここで、折り畳み携帯電話装置の表示部１１を表にして閉じたのか裏にして閉じたのかを区別するために、各反射部１３ａ，１３ｂ，１３ｃ，１３ｄのうちの一つの反射効率を変えてあり、例えば、裏面の反射部１３ｃ，１３ｄにおいて、一方の反射効率に対して他方の反射効率を半分に設定する。反射部は、反射板などの別部材としても良いが、コスト削減の点からは、上側ユニット１ヘの印刷や塗装あるいは上側ユニット１の素材面の加工により形成する方が望ましい。
【００２５】
図６は、この実施例に係る電気的構成を示すブロック図である。既に記したとおり、上側ユニット１には、表示部１１とスピーカ１２とが配置され、下側ユニット２には、操作部２１、マイク２２および２個の受発光素子２３ａ、２３ｂが配置されている。下側ユニット２には、さらに、着信音を報知する報知部２４が配置されているとともに、スピーカ１２とマイク２２による送受話部２５、発着信を制御する送受信部２６、２個の受発光素子２３ａ、２３ｂからの検出信号により開閉検出と、回動状態の検出を行う開閉・回動状態検出部２７、および以上の各部を統括的に制御する制御部４が設けられている。
【００２６】
次に、上記構成の折り畳み携帯電話装置の動作について説明する。図１のように、携帯電話装置が開いた状態の場合、受発光素子２３ａ，２３ｂの発光部から発せられた光は、反射部により反射されないため、受発光素子２３ａ，２３ｂの受光部に戻らない。このため、どちらの受発光素子２３ａ，２３ｂからも出力が得られないことから、携帯電話装置が開状態であることが検出できる。
【００２７】
図３、図４のように携帯電話装置が開いていて、左右のどちらかに９０度回動した状態では、どちらか一方の受発光素子からの出力のみが得られることから、携帯電話装置の９０度回動状態が検出できる。図３の場合、受発光素子２３ｂの発光部から発せられた光は、上側ユニット１の裏面に設けられた反射部１３ｄにより反射され、受発光素子２３ｂの受光部に戻るため出力が得られるが、受発光素子２３ａからの光は反射されないため受発光素子２３ａの出力は得られない。図４の場合では、図３とは逆に、受発光素子２３ａの発光部から発せられた光は、上側ユニット１の裏面に設けられた反射部１３ｃにより反射され、受発光素子２３ａの受光部に戻るため出力が得られるが、受発光素子２３ｂからの光は反射されないため、受発光素子２３ｂの出力は得られない。
【００２８】
図２、図５のように携帯電話装置が閉じた状態においては、どちらの受発光素子２３ａ，２３ｂからも出力が得られることから、携帯電話装置が閉状態であることが検出できる。図２のように上側ユニット１の表示部１１を内側にして折り畳んだ状態の場合は、上側ユニット１の表面に設けられた同反射効率の反射部１３ａ，１３ｂにより反射された光が受発光素子２３ａ，２３ｂに戻るり同じ出力が得られるため、その出力の差分をとると０になるが、図５のように上側ユニット１の表示部１１を外側にして折り畳んだ状態の場合は、上側ユニット１の裏面に設けられた反射効率の異なる反射部１３ｃ，１３ｄにより反射された光が受発光素子２３ａ，２３ｂに戻るため、その出力の差分をとると０にはならない。以上のように、受発光素子２３ａ，２３ｂの出力の組み合わせを検出することにより、折り畳み携帯電話装置の開閉検出ができるとともに、回動状態の検出もできる。
【００２９】
開閉・回動状態検出部２７は、上記２個の受発光素子２３ａの出力（以下、Ａと記す）と受発光素子２３ｂの出力（以下、Ｂと記す）を受けて、開閉と回動状態の検出を行う。即ち、Ａ，Ｂが共に出力無しであれば図１の開状態とし、Ａが出力無し、Ｂが出力有りであれば図３の時計方向（ｃｗ）の９０度回動状態とし、Ａが出力有り、Ｂが出力無しであれば図４の反時計方向（ｃｃｗ）の９０度回動状態とし、Ａ，Ｂが共に出力有りであれば、さらに差分出力の有無を調べて、差分出力が０であれば図２の閉状態、差分出力有りであれば図５の閉状態として検出する。なお、差分出力は、演算増幅器等によりアナログ的に求められるが、各出力を出力有り、半出力有り、出力無しの３値に変換してデジタル処理により求めることもできる。開閉と回動状態の検出結果は、制御部４に渡され、制御部４は、その状態により、待ち受け画面の表示（開状態検出時）やその表示の消去（表示部１１を内側にした閉状態検出時）、表示方向の制御（表示部１１を外側にした閉状態検出時または回動検出時に、表示を回動の向きに合わせる制御）等を行う。
【００３０】
以上のように、この実施例では、２個のフォトセンサのみで開閉と回動状態の検出を行っているので、開閉と回動状態の検出に６個の素子を必要とした従来例に比べて、部品点数が削減できるとともに組立工数が削減でき、装置の小型化と、コストダウンを図ることができる。また、磁気による検出ではないため、磁気を帯びた電気部品による誤作動・誤検出の恐れがないとともに、クレジットカード等の外部の磁気記憶媒体等に悪影響を与えることがない。
【実施例２】
【００３１】
次に、この発明の第２実施例について説明する。この実施例は、基本的構成については実施例１と同様であるが、受発光素子と反射部の配置が実施例１とは異なっている。実施例１では、図１〜図５に示したように、受発光素子２３ａ，２３ｂを下側ユニット２に、反射部１３ａ〜１３ｄを上側ユニット１に、それぞれ備えていたが、この実施例は、受発光素子を上側ユニットに、反射部を下側ユニットに、それぞれ備えたものである。この実施例の基本的構成については、実施例１より容易に類推できるのでその説明は省略し、上述の異なるところについてのみ説明する。
【００３２】
図７は、この実施例の受発光素子と反射部の配置例を示す図である。この実施例では、上側ユニット１下方の裏面（表示部１１のない側）の左右に、２個の受発光素子２３ａ，２３ｂと、とちらかの受発光素子の上側ユニット１表面（表示部１１側）に受発光素子２３ｃを配置する。一方、下側ユニット２上方の表面（操作部２１側）の左右それぞれには、受発光素子２３ａ，２３ｂ、２３ｃからの光を反射するための手段として、反射部１３ａ，１３ｂを配置する。受発光素子２３ａ，２３ｂ，２３ｃの一部は、折り畳んだ場合および回動させた場合、反射部１３ａ，１３ｂに重なるように配置される。反射部１３ａ，１３ｂは、反射板などの別部材としても良いが、コスト削減の点からは、下側ユニット２ヘの印刷や塗装、あるいは下側ユニット２の素材面の加工により形成する方が望ましい。
【００３３】
次に、上記構成の折り畳み携帯電話装置の動作について説明する。携帯電話装置が開いた状態の場合、受発光素子２３ａ，２３ｂ，２３ｃの発光部から発せられた光は反射部により反射されないため、受発光素子２３ａ，２３ｂ，２３ｃの受光部に戻らない。このため、どの受発光素子２３ａ，２３ｂ，２３ｃからも出力が得られないことから、携帯電話装置が開状態であることが検出できる。
【００３４】
次に、携帯電話装置が開いていて、左右のどちらかに９０度回動している状態では、受発光素子２３ａ，２３ｂのどちらか一方の受発光素子からの出力のみが得られることから、携帯電話装置の左右の９０度回動状態が検出できる。このとき、受発光素子２３ｃからの出力はない。
【００３５】
次に、上側ユニット１の表示部１１を内側にして折り畳んで閉じた状態の場合は、上側ユニット１の裏面に設けられた受発光素子２３ａ，２３ｂからの出力は得られないが、表面に設けられた受発光素子２３ｃからの光が下側ユニット２の反射部１３ａ，１３ｂのどちらかにより反射されて受発光素子２３ｃに戻り、出力が得られるため、この閉状態を検出することができる。一方、上側ユニット１の表示部１１を外側にして折り畳んで閉じた状態の場合は、上側ユニット１の表面に設けられた受発光素子２３ｃからの出力は得られないが、上側ユニット１の裏面に設けられた受発光素子２３ａ，２３ｂからの光が下側ユニット２の反射部１３ａ，１３ｂにより反射されて受発光素子２３ａ，２３ｂに戻り、両方の出力が得られるため、この閉状態を検出することができる。以上のように、３個の受発光素子２３ａ，２３ｂ，２３ｃの出力の組み合わせを検出することにより、折り畳み携帯電話装置の開閉検出ができるとともに、回動状態の検出もできる。
【００３６】
開閉・回動状態検出部２７は、上記受発光素子２３ａの出力（以下、Ａと記す）と、受発光素子２３ｂの出力（以下、Ｂと記す）と、受発光素子２３ｃの出力（以下、Ｃと記す）を受けて、開閉と回動状態の検出を行う。即ち、Ａ，Ｂ，Ｃが共に出力無しであれば図１と同様の開状態とし、Ａ，Ｂのいずれか１つが出力有りでＣが出力無しであればＡ，Ｂの状態により左右いずれの９０度回動状態かを区別し、Ａ，Ｂが共に出力無しでＣが出力有りあれば表示部１１を内側にした閉状態とし、Ａ，Ｂが共に出力有りでＣが出力無しあれば表示部１１を外側にした閉状態として検出する。開閉と回動状態の検出結果は、実施例１と同様に、制御部４に渡され、制御部４は、その状態により、待ち受け画面の表示（開状態検出時）やその表示の消去（表示部１１を内側にした閉状態検出時）、表示方向の制御（表示部１１を外側にした閉状態検出時または回動検出時に、表示を回動の向きに合わせる制御）等を行う。
【００３７】
以上のように、この実施例によっても、３個のフォトセンサのみで開閉と回動状態の検出を行っているので、開閉と回動状態の検出に６個の素子を必要とした従来例に比べて、部品点数が削減できるとともに組立工数が削減でき、装置の小型化と、コストダウンを図ることができる。また、磁気による検出ではないため、磁気を帯びた電気部品による誤作動・誤検出の恐れがないとともに、クレジットカード等の外部の磁気記憶媒体等に悪影響を与えることがない。
【００３８】
以上、この発明の実施例を図面により詳述してきたが、具体的な構成はこの実施例に限られるものではなく、この発明の要旨を逸脱しない範囲の設計の変更等があってもこの発明に含まれる。例えば、上述の実施例では、開閉・回動状態検出部をハードウェア構成として説明したが、制御部を構成するコンピュータのプログラムにより、制御部の一つの機能手段として実現することも可能である。また、本発明のフォトセンサおよび反射部の配置例は、各実施例の配置例に限られるものではない。
【産業上の利用可能性】
【００３９】
この発明は、折り畳み携帯電話装置に限らず、開閉と開状態での回動とが自在な折り畳みの可能なＰＨＳや、ＰＤＡ（携帯情報端末装置）等の携帯端末装置に広く利用可能である。
【図面の簡単な説明】
【００４０】
【図１】この発明の第１実施例である折り畳み携帯電話装置の機械的構成の配置例を示す図であって、折り畳み携帯電話装置を開いた状態の平面図である。
【図２】同折り畳み携帯電話装置を閉じた状態の平面図であって、表示部を内側にして閉じた状態を示す図である。
【図３】同折り畳み携帯電話装置を開いた状態でかつ上側ユニットを時計方向に９０度回転させた状態の平面図である。
【図４】同折り畳み携帯電話装置を開いた状態でかつ上側ユニットを反時計方向に９０度回転させた状態の平面図である。
【図５】同折り畳み携帯電話装置を閉じた状態の平面図であって、表示部を外側にして閉じた状態を示す図である。
【図６】同折り畳み携帯電話装置の電気的構成を示すブロック図である。
【図７】この発明の第２実施例である折り畳み携帯電話装置の機械的構成の配置例を示す図であって、折り畳み携帯電話装置を開いた状態の平面図である。
【図８】従来例の折り畳み携帯電話装置の機械的構成の配置例を示す図であって、折り畳み携帯電話装置を開いた状態の平面図である。
【符号の説明】
【００４１】
１  上側ユニット
１１  表示部
１３ａ、１３ｂ、１３ｃ、１３ｄ  反射部
２  下側ユニット
２１  操作部
２３ａ  受発光素子（第１のフォトセンサ）
２３ｂ  受発光素子（第２のフォトセンサ）
２３ｃ  受発光素子（第３のフォトセンサ）
２７  開閉・回動状態検出部
【図１】
2006270361.tif 000003
【図２】
2006270361.tif 000004
【図３】
2006270361.tif 000005
【図４】
2006270361.tif 000006
【図５】
2006270361.tif 000007
【図６】
2006270361.tif 000008
【図７】
2006270361.tif 000009
【図８】
2006270361.tif 000010